(57)【要約】  コンピューターファイルシステムのフォルダ、ファイル及びメディアに対する視覚化注釈を含むシステムが開示される。システムは、フォント、アイコン形状、アイコンサイズ及びファイルシステムアーティファクトの他の視覚的属性をカスタマイズするための複数の方法の使用を可能にし、これらの注釈が特定のイベントの発生時に更新を可能するようにしてユーザーのための視聴覚リマインダプロセスを達成するようにし、規則やマクロを介して特定された緊急事態に注意を引くようにする。システムは、コンピューター電子メールシステムと統合して、ユーザーに視聴覚信号を提供して優先順位が高い文書に注意を引くようにプログラミングされた指定されたフォルダ内に特定されたアドレスの電子メールメッセージに添付されたファイルをユーザーが容易に保存するようにするとか自動保存する。同様に、特定の受信者に送る電子メールへファイルをアップロードして添付する作業は電子メール−特定の選好フォルダを指定することによって容易になる。規則はまた、アクセス容易性だけでなく、視覚化キューを介したモニタリングのために、ユーザーが選択したファイルへのリンクを維持するあらかじめ定義された“高い優先順位”フォルダにファイルまたはフォルダを割り当てるようにトリガーする。【選択図】  図１２
2018533150.tif 000002
【特許請求の範囲】
【請求項１】
コンピューターファイルシステムアーティファクトのカスタマイズされたディスプレーのためのシステムであって：
ディスプレー表面；
アーティファクトは、
名前、
アイコン、
コンピュータークロックによって定義される生成時間、アクセス時間及び更新時間−生成時間、ここで、アクセス時間及び更新時間は、それぞれ数字であり、
連動されたサイズを有する格納された内容、
前記アーティファクトの格納された内容をコンピューターファイルシステムに格納するために割り当てられる格納空間、及び
視覚的表示を有し、
前記視覚的表示は、
前記名前に対するフォント名、フォント重さ、フォントスタイル、及びフォント色を含む名前視覚的表示、
前記アイコンに対するアイコンイメージ、アイコン色、及びアイコンサイズを含むアイコン視覚的表示をさらに含み、
前記名前視覚的表示及び前記アイコン視覚的表示を含めることによって、前記ディスプレー表面上に前記アーティファクトのカスタマイズされたディスプレーを生成するように適応されたレンダリングザブシステムを含む、コンピューターファイルシステムアーティファクトのカスタマイズされたディスプレーのためのシステム。
【請求項２】
前記アーティファクトは、
バーコード、ＱＲコードからなるグループから選択される連動された機械コード；
前記機械コードの視覚的表示を有し；
前記レンダリングザブシステムのアーティファクトディスプレーは、前記機械コードの視覚的表示をさらに含む、請求項１に記載のコンピューターファイルシステムアーティファクトのカスタマイズされたディスプレーのためのシステム。
【請求項３】
前記アーティファクトは、
連動されたサウンドレコーディング；
オーディオスピーカーを介して再生するように適応された前記サウンドレコーディングのオーディオ表示を有し；
前記レンダリングザブシステムのアーティファクトディスプレーは、信号を受信するとき、前記オーディオ表示の再生をさらに含む、請求項１に記載のコンピューターファイルシステムアーティファクトのカスタマイズされたディスプレーのためのシステム。
【請求項４】
前記アーティファクトは、コンピューターファイルシステムフォルダであり、
前記コンピューターファイルシステムフォルダは、複数のファイルシステムアーティファクトをさらに含み；
前記レンダリングザブシステムのアイコンサイズのディスプレーは、前記コンピューターファイルシステムフォルダ内のすべてのアーティファクトの内容のサイズに比例するように適応される、請求項１に記載のコンピューターファイルシステムアーティファクトのカスタマイズされたディスプレーのためのシステム。
【請求項５】
前記視覚的表示は、また、前記コンピューターファイルシステムフォルダに属して格納された複数のアーティファクトの数を示す数字を含む、請求項４に記載のコンピューターファイルシステムアーティファクトのカスタマイズされたディスプレーのためのシステム。
【請求項６】
前記アーティファクトは、
ＶＩＰフォルダへの連動されたメンバーシップ；
前記ＶＩＰフォルダの視覚的表示を有し；
前記レンダリングザブシステムのＶＩＰフォルダのディスプレーは、また、前記ＶＩＰフォルダ内への連動されたメンバーシップを有するアーティファクトの視覚的表示を含む、請求項１に記載のンピューターファイルシステムアーティファクトのカスタマイズされたディスプレーのためのシステム。
【請求項７】
規則をさらに含み、
前記規則は、
前記アーティファクトの連動された第１の視覚的表示を有する第１の条件、及び
前記アーティファクトの連動された第２の視覚的表示を有する第２の条件を含む、請求項１に記載のコンピューターファイルシステムアーティファクトのカスタマイズされたディスプレーのためのシステム。
【請求項８】
前記第１の条件は、前記格納された内容サイズがあらかじめ定義された閾値未満であるように特定し、前記第２の条件は、前記格納された内容サイズがあらかじめ定義された閾値よりも大きくなるように特定する、請求項７に記載のコンピューターファイルシステムアーティファクトのカスタマイズされたディスプレーのためのシステム。
【請求項９】
前記コンピュータークロックによって得られた現在時間の活用をさらに含み、前記現在時間は数字であり、
前記第１の条件は、前記現在時間と前記アクセス時間との間の差があらかじめ定義された閾値未満であるように特定し、
前記第２の条件は、前記現在時間と前記アクセス時間との間の差があらかじめ定義された閾値よりも大きくなるように特定する、請求項７に記載のコンピューターファイルシステムアーティファクトのカスタマイズされたディスプレーのためのシステム。
【請求項１０】
前記アーティファクトは、数字として表示される連動された分類コードを有し、前記分類コードは、前記アーティファクト名、前記名前視覚的表示、前記アイコン視覚的表示、前記アクセス時間、前記生成時間、前記更新時間、及び前記内容サイズに左右される、請求項１に記載のコンピューターファイルシステムアーティファクトのカスタマイズされたディスプレーのためのシステム。
【請求項１１】
前記アーティファクトの分類コードは、
2018533150.tif 000012
として定義され、ここで、Ｂは基数単位であり、iは注釈タイプであり、ｆｉは前記アーティファクトの視覚的表示に使用される注釈タイプｉの分数である、請求項１０に記載のコンピューターファイルシステムアーティファクトのカスタマイズされたディスプレーのためのシステム。
【請求項１２】
コンピューターファイルシステムのカスタマイズされたディスプレーのためのシステムであって：
ディスプレー表面；
複数のアーティファクト、ここで、それぞれのアーティファクトは、
フォント名、フォント重さ、フォントスタイル、及びフォント色を含む名前視覚的表示を有する名前を有し、
アイコンタイプ及びアイコンを含むアイコン視覚的表示を有するアイコンを有し、
前記コンピューターファイルシステムの一部であり、
複数の直系ペアレントアーティファクトに関連し、
複数の直系チャイルドアーティファクトに関連すし；
前記複数のアーティファクトの視覚的表示をあらかじめ定義された方式で組織することによって、前記ディスプレー表面上に前記複数のアーティファクトのカスタマイズされたディスプレーを生成するレンダリングザブシステム−アーティファクトの視覚的表示は、アーティファクト名の視覚的表示及びアーティファクトアイコンの視覚的表示を含み；
前記ディスプレー表面上にディスプレーされる前記複数のアーティファクト、ディスプレーされる各々の前記アーティファクトは、ディスプレーされる各々の他のアーティファクトに関連することを含む、コンピューターファイルシステムのカスタマイズされたディスプレーのためのシステム。
【請求項１３】
前記名前の視覚的表示及び前記アイコンの視覚的表示は、前記アーティファクトの内容によってあらかじめ決定される、請求項１２に記載のコンピューターファイルシステムのカスタマイズされたディスプレーのためのシステム。
【請求項１４】
前記アーティファクトの前記名前の視覚的表示及び前記アイコンの視覚的表示は、前記直系チャイルドアーティファクトに循環的に適用される、請求項１２に記載のコンピューターファイルシステムのカスタマイズされたディスプレーのためのシステム。
【請求項１５】
前記アーティファクトは、前記名前の視覚的表示によるまたは前記アイコンの視覚的表示による検索のために適応される、請求項１２に記載のコンピューターファイルシステムのカスタマイズされたディスプレーのためのシステム。
【請求項１６】
前記複数のアーティファクトは、複数の条件を定義する順序関係を定義する辞書式方式を使用して前記ディスプレー表面上 にディスプレーされ、これによって第１のアーティファクトは、第２のアーティファクトよりも大きく、これによって前記第１のアーティファクトは、前記第２のアーティファクトに関連して前記ディスプレー表面上にあらかじめ定義された位置にディスプレーされる、請求項１２に記載のコンピューターファイルシステムのカスタマイズされたディスプレーのためのシステム。
【請求項１７】
前記辞書式方式は、第１のアーティファクトＡが第２のアーティファクトＢよりも大きいことを下記式によって定義し：
2018533150.tif 000013
ここで、Ｘ１、Ｘ２…Ｘｋはアーティファクト名及びアーティファクトアイコンに対する注釈タイプであり、
2018533150.tif 000014
及び
2018533150.tif 000015
はそれぞれアーティファクトＡ及びアーティファクトＢによる注釈タイプＸｉの分数使用量を示す、請求項１３に記載のコンピューターファイルシステムのカスタマイズされたディスプレーのためのシステム。
【請求項１８】
各々のアーティファクトは、アーティファクトの直系チャイルドの循環カウントと同じ数字を含み、前記複数のアーティファクトのそれぞれのカスタマイズされたディスプレーは、前記数字のディスプレーをさらに含む、請求項１２に記載のコンピューターファイルシステムのカスタマイズされたディスプレーのためのシステム。
【請求項１９】
前記アイコンの視覚的表示は、アイコンサイズを含み、前記アイコンサイズは、前記アーティファクトに連動された前記数字に比例する、請求項１８に記載のコンピューターファイルシステムのカスタマイズされたディスプレーのためのシステム。
【請求項２０】
電子メールのカスタマイズされた処理のためのシステムであって：
あらかじめ定義された資格証明を使用して電子メールサーバーから複数の電子メールアイテムをダウンロードするように適応された電子メールダウンローディングザブシステム、複数の電子メールアイテムの各々は、
発信者電子メールアドレス、
電子メール内容、及び
複数の電子メール添付ファイルを含み、複数の電子メール添付ファイルのそれぞれは、添付ファイルタイプ、添付ファイル名、及び添付ファイルアイコンを有し；
複数のフォルダを有するファイルシステム、各々のフォルダは、
識別子によって固有に識別され、
１つ以上のそれぞれの前記複数の電子メール添付ファイルを格納するように適応され；
前記発信者電子メールアドレスに連動されたファイルシステムフォルダのリストを有する電子メール処理ザブシステム、上記電子メール処理ザブシステムは、
前記発信者電子メールアドレスを検査し、
それぞれの前記複数の電子メール添付ファイルについて、前記添付ファイルタイプを検査してあらかじめ定義された添付ファイル処理作業を行うように適応され；
あらかじめ定義された添付ファイルレンダリング規則に基づいてそれぞれの前記複数の電子メール添付ファイルの視覚的表示を生成するように適応されたレンダリングザブシステムを含む、電子メールのカスタマイズされた処理のためのシステム。
【請求項２１】
前記電子メール処理ザブシステムによって実行される前記添付ファイル処理作業は、１つ以上のそれぞれの前記複数の電子メール添付ファイルを１つ以上の前記複数のファイルシステムフォルダに自動保存するものである、請求項２０に記載の電子メールのカスタマイズされた処理のためのシステム。
【請求項２２】
前記電子メール処理ザブシステムによって実行される前記添付ファイル処理作業は：
複数のファイルシステムフォルダの識別子を含む入力をユーザーから受信し；
ユーザー入力に含まれた１つ以上の前記複数のファイルシステムフォルダに１つ以上のそれぞれの前記複数の電子メール添付ファイルを保存することを含む、請求項２０に記載の電子メールのカスタマイズされた処理のためのシステム。
【請求項２３】
コンピューターファイルシステムアーティファクトのカスタマイズされたディスプレーのための方法であって：
コンピューターファイルシステムを提供するステップ、コンピューターファイルシステムは、複数のアーティファクトを含み、各々のアーティファクトは、名前及びアイコンを有し、前記ファイルシステムアーティファクトは、
フォント名、フォント重さ、フォントスタイル、及びフォント色を含む名前視覚的表示を有する名前を有し、
アイコンタイプ、及びアイコン、アイコン色、アイコンサイズ、及びアイコン形状を含むアイコン視覚的表示を有するアイコンを有し；
入力仕様装置を提供するステップ、入力仕様装置は、前記アーティファクト名、前記フォント名、前記フォント重さ、前記フォントスタイル、前記フォント色、前記アイコンタイプ、前記アイコン色、前記アイコンサイズ、及び前記アイコン形状のうちの１つ以上に関する情報を受信し；
前記入力仕様に応答して複数のアーティファクトを識別し、複数のアーティファクトを含む結果を生成するように適応された検索プロセス；及び
ディスプレー装置のディスプレー表面上に前記結果をディスプレーするステップを含む、コンピューターファイルシステムアーティファクトのカスタマイズされたディスプレーのための方法。
【発明の詳細な説明】
【技術分野】
【０００１】
関連出願の相互参照
本出願は、発明者Ｓａｕｒａｂｈ Ａ．Ｐｒａｋａｓｈによって２０１５年９月２７日に出願された米国仮特許出願第６２／２３３，４１１号、及び発明者Ｓａｕｒａｂｈ Ａ．Ｐｒａｋａｓｈによって２０１６年９月１２日に出願された米国仮特許出願第６２／３９３，３３０号の利益を主張し、これらの両方は本願に参照として組み込まれる。
【０００２】
本出願は、一般に、コンピューターソフトウェアの分野に関する。より特に、本発明は、コンピューターシステム上のファイル（ワード、データ、音楽、ピクチャー、ビデオ及び他のメディア）及びフォルダのユーザーカスタマイズブラウジングのための方法及びシステムに関する。ファイルブラウザのビューをカスタマイズする目的は、コンピューターのシェル（ｓｈｅｌｌ）またはファイルシステムに格納された重要なデータアーティファクト（ａｒｔｉｆａｃｔ）を容易に識別し、注意を引くためのことである。
【背景技術】
【０００３】
コンピューターシステムは、情報をファイルに格納する。これらのファイルは、各キャビネットが複数のファイルを含むことができる階層的ファイリングキャビネットにさらに組織されており、コンピューター専門用語でフォルダと呼ばれる。実際の生活において、ユーザーは、ファイルの有意性、機能的分類、または非機能的グループ化を示すために、ファイルの色コーディングをしばしば使用する。ファイル名は、他のファイルと区分するために、異なる色で記録され得る。ファイルのカバーに会社のロゴを貼り付けてその会社のものであることを迅速に識別することができる。同様に、実際の生活において、これらの膨大なサイズで注意を引くようになる、物理的に大きなフォルダのサイズはユーザーの識別ツールである。しかし、同様の視覚的補助手段は、コンピューターシステムのファイリングシステムで利用可能ではない。
【０００４】
コンピューターシステムは、ファイルをディスクシステムまたは他の記憶デバイスに格納する。これらのファイルには、コンピューターシステムのユーザーによる以後検索するための情報を含む。コンピューターシステムからの現在のファイル検索接近法と以後のファイル検索接近法は、ファイルまたはフォルダ名で検索するか、ファイル名またはファイル内に含まれたいくつかの文字列による検索を活用する。このような検索戦略は、ユーザーがファイルの内容またはファイル名内で検索されるファイル名またはフォルダ名の文字列が分からなければならないという点で、ユーザーに対するオプションを制限する。現在のファイルブラウジングシステムは、ファイルまたはフォルダ名、サイズ、生成日付、アクセス日付または修正日付に基づいて昇順または降順に分類する限定されたオプションのセットのみを許容する。コンピューターシステムのユーザーが、フォルダまたはファイル名または内容の部分文字列以外のメカニズムを使用してファイルまたはフォルダをより迅速に検索するようにファイル及びフォルダを分類するための追加的なオプションを有することが好ましい。したがって、強調表示またはボールド表示または下線表示するか、ファイル及びフォルダ名のフラッシュ（ｆｌａｓｈｉｎｇ）のような視覚的信号を使用して迅速な識別を補助する方式で表示され得るファイル及びフォルダを有することが好ましく有理である。
【０００５】
カスタマイズされたアイコンなし：今日のコンピューターファイルブラウザは、装置、ネットワークマウントされたファイルシステム、共有ファイルシステム、及びローカルファイルシステムを容易に識別できるように多数のアイコンを使用する。また、ビデオファイル、音楽ファイル、ピクチャーファイル、テキストファイルのように、フォルダに格納されたファイルタイプを識別するために多数のアイコンが使用される。あらかじめ定義されたアイコンのような特定のアプリケーションに関連したファイルは、ワード（Ｗｏｒｄ）、エクセル（Ｅｘｃｅｌ）またはパワーポイント（ＰｏｗｅｒＰｏｉｎｔ）を容易に識別する。現在のブラウザは、ユーザーがアイコン、ファイル、フォルダ及びメディアのディスプレーのために、他のプレゼンテーションスタイルを含むファイル及びフォルダに対するカスタムレンダリングを関連させることができるようにするアイコンのカスタマイズされた使用をサポートしない。
【０００６】
すべてのファイル及びフォルダに対する均一なサイズのアイコン：現在す利用可能なコンピューターファイル及びシェルブラウザにおいて、一般にすべてのフォルダのアイコンは同じ色である。コンピューターブラウザは、フォルダのアイコンが一般的に同じ色、形状及びサイズで表示されるが、ユーザーがプレゼンテーションのための特定の色の配合を選択させることにより、ファイル及びフォルダビューの個人設定能力を提供する。ディスクまたはペンドライブのような他のメディアのアイコンは区別され得るが、各外部メディアがディスプレーされる方法は均一する。したがって、一般的に外部メディアの全体セットに適用されるいくつかの限定されたディスプレーオプションを除いて、これらのアイテムのプレゼンテーションをカスタマイズまたは変更することもできない。時々、ユーザーが異なるフォルダに対して異なるアイコンサイズを有するか、同じタイプの特定のファイルに対して異なるアイコンを使用することが好ましい。現在のファイルブラウザは、ファイル及びフォルダサイズをカスタマイズされた方式で変更することができる範囲を制限する。
【０００７】
さらに、現在のコンピューターファイルブラウザは、ファイルまたはフォルダ名をディスプレーするために使用されるテキストを強調する能力を提供しない。すなわち、現在のファイルブラウザは、すべてのファイルまたはフォルダ名を同じフォントタイプの同じ色でディスプレーする。フォントを個別的に変更し、例えば、ボールド表示フォント、下線表示フォント、イタリック体フォントまたは強調表示フォントを使用するか、特定のファイルまたはフォルダ名をフラッシュモードまたはアニメーションテキストでディスプレーすることにより、特定のファイル及びフォルダ名を強調する能力が要求される。
【０００８】
色ドットのような簡単な注釈のみをサポートするブラウザ：同様に、ユーザーは、類似のファイルまたはフォルダに対して、意のままに異なる色または形状をアイコンに与えることができない。一部のブラウザは、ユーザーがフォルダに異なる色を付けるか、フォルダの前に色ドットを配置するように許容する。しかしながら、ファイル及びフォルダに対して追加的な視覚的表象信号を可能にするシステムが要求される。ユーザーが自分の視覚化基準に基づいて、またはファイルやフォルダに関連した特徴的なサウンドによって、フォルダ及びファイルを識別できるようにするファイル及びフォルダレンダリングのための個人設定のレベルが好ましい。また、ユーザーが重要度またはファイルに格納された対象物のタイプに基づいて視覚的レンダリングのようなカスタマイズされた基準を持たせるようにすることが好ましい。
【０００９】
変更されないアイコンサイズ：現在のファイルブラウジングシステムは、例えば、重要な情報が含まれたファイルまたはフォルダのアイコンのサイズをより大きくしてユーザーの注意を引き、ユーザーがその情報に到逹するのに必要な時間を縮めさせる、ファイル及びフォルダを示すアイコンのサイズ変更を許容しない。
【００１０】
サウンド注釈がサポートされない：コンピューターファイル及びシェルブラウザの現在の具現において、ファイルだけでなく、フォルダも特徴的なサウンドと連動されることができない。時々、ユーザーが、ファイル、フォルダ及びメディアアイテムとサウンドを連動してアイテムの識別のために、または別にアイテムのカスタマイズされた注釈のためにサウンドが使用されることが好ましい。そして、このようなサウンドは、ブラウザのメタデータに含まれているため、最初にファイルを開く必要はなくサウンドが生成される。ブラウザがこのようなオプションを提供すると、ユーザーはフォルダ、ファイルまたはメディアアイテムを一度クリックすると、連動したサウンドが生成されることによってアイテムに注釈が付けられたさらなる情報の提供を容易にすることができるだろう。さらに、与えられた緊急事態の発生時及び一つ以上の結果が可能な場合、ファイルまたはフォルダがユーザーによって規定されたような異なるサウンドと連動されるようにシステムが連動されたサウンドクリップを変更することが好ましい。このような方式で、システムは、コンピューターブラウザが生成するサウンドに基づいて条件が発生したことをユーザーに知らせることが好ましい。また、このようなオプションは、一般のユーザーを大きく補助するだけでなく、コンピューターフォルダ、ファイル及びメディアアイテムにアクセスする際に視覚障害者に重要な補助を提供するだろう。
【００１１】
時間敏感性要素に対する特別な注釈がない：コンピューターファイルブラウザは、一般に、全体ファイルシステムにわたって均一に設定されたディスプレー設定を使用して、フォルダ及びファイルのサムネイルビューをディスプレーする。例えば、すべてのマイクロソフトワードファイルは、同じアイコンを使用してディスプレーされ、ユーザーがマイクロソフトワード文書を迅速に細かく調べて見つけることができるようにする。しかし、このようなビューは、またファイル内容に関する情報の量をファイルまたはフォルダ名から容易に認識可能な量に制限する。しかしながら、ファイル名に何もなければ、ユーザーがここに含まれた情報の潜在的な時間敏感度を知ることができるだろう。例えば、ファイル名に何もなければ、ファイルが数日内の期限である企画案を含むか、単に日常的な事内メモということをユーザーに提案するだろう。
【００１２】
アイコン、テキスト及び色、ならびに時間敏感度のカスタマイズなし：ファイルまたはフォルダの視覚的ディスプレーのために使用されるテキスト及びアイコンの色、サイズ及び形状のような特性を強調するファイル及びフォルダのディスプレー設定をユーザーが特定させるコンピューターファイルブラウジングシステムが要求される。現在利用可能なコンピューターファイルブラウザには、任意のカスタマイズまたは個人設定能力もなし、限定されたオプションだけが利用可能である。なるべく時間敏感度及びこれに格納された情報の重要度に基づいて、特定のファイル、フォルダまたはメディアに対してユーザーの注意を迅速に“引く”ファイルまたはフォルダマーキングを生成することができる能力をユーザーに提供する必要が存在する。
【００１３】
特別な電子メール処理のための規定なし：電子メールの添付ファイルとして任意の文書が受信されると、バックグラウンドを実行するブラウザによって自動に格納され、このようなイベントのときに添付されたファイルが保存された特定のフォルダに注釈が付けられるようにすることがまた好ましい。現在の電子メール処理は、ユーザーが文書を保存すべきこのような移動先フォルダを特定するように求める。これは、多くの数の文書が受信されるか、これらの個別サイズ大きいか、またはこの両方の場合に、時には時間がかかりワークフローを妨害することができる。特定の発信者の電子メールに添付されたファイルが保存される移動先フォルダ、及びこのような電子メール添付ファイルの保存の後にこれらのフォルダのプレゼンテーションまたはディスプレーが変更される方式に関する規則を提供するコンピューターフォルダ自動保存プロシージャが要求される。
【００１４】
バージョン管理視覚化機能なし：現在、コンピューターファイルブラウザは、ファイルの効果的なバージョン管理をサポートしない。一実施例として、第１のユーザーが第２のユーザーとファイルを交換し、同じ名前で更新されたファイルを受信する場合、第１のユーザーは、以前ファイルを上書きすることでファイルを保存するか、他の名前でファイルを保存することができる。第１のユーザーは、命名方式でバージョン管理を考案することによって第１のユーザーのどのようなバージョンが最新バージョンであるかを知ることができるか、ファイルのメタデータを検討することができる。ファイルブラウザがファイルのバージョンを同じ名前で保存するが、バージョンを指定するのに使用される一連のあらかじめ定義された色で保存することができる能力が好ましい。
【００１５】
機械コーディングされたファイル処理利用不可能：名前と共に、すべてのフォルダ、ファイル及びメディアが、バーコード、ＱＲコード（登録商標）、またはその他のこのような識別コードと関動されるように許容することがまた好ましい。これは、他のコンピューターまたはモバイルスキャナのような装置によるファイルの迅速な識別を可能にする。バーコードは、通常、名前または連動されたフィールドに配置され、他の装置によって読み取られる。またブラウザは、他の装置の命令下で直接的にまたは人間によって、これらのコードに基づいてファイルを検索できなければならない。
【発明の概要】
【課題を解決するための手段】
【００１６】
定義
アーティファクト−ファイル、フォルダまたはメディアアイテムを含むコンピューターファイルシステムの任意のメンバー
アイコンスタイル−アイコンを表示するために使用される形状、サイズ、色、及びサムネイルイメージ
テキストスタイル−テキストをディスプレーするのに使用される書体、活字重さ（ｔｙｐｅ  ｗｅｉｇｈｔ）、及び装飾（アニメーション）
ＧＵＩ−コンピューターシステムで使用されるグラフィカルユーザーインターフェース
ファイルブラウザ−コンピューターシステム上のファイルシステムアーティファクトの内容を通じてブラウジングするためのＧＵＩベースのソフトウェアアプリケーション
アーティファクトの表示属性−ファイルシステムアーティファクトをディスプレーするためのファイルブラウザによって使用されるアイコンスタイル及びテキストスタイル
【００１７】
ファイルシステムアーティファクトプレゼンテーションのカスタマイズ
本発明は、ユーザー特定の規則及び条件に基づいて、ファイル、フォルダ、及びメディアのディスプレーをカスタマイズすることに関する。フォルダアイコンは、複数の形状及びサイズで表示され得る。本発明は、ユーザーが複数のフォント重さ、サイズ及び色を使用して、ファイル、メディア及びフォルダ名を強調表示することができる能力を提供する。選択されたセットまたはすべてのファイル、フォルダ及びメディアアイテムは、ユーザーカスタマイズしたアイコンでディスプレーされ得る。本発明はまた、電子メールの添付ファイルとして受信されたファイル、フォルダ及びメディアアイテムを保存することにおいて、自動保存またはユーザー案内を可能にして、発信者の電子メールアドレスに連動して特定されるフォルダに添付されたアイテムを保存する能力をユーザーに提供する。例えば、ユーザーは、しばしば同じ発信者から由来されたファイルを特定されたサブフォルダに格納するので、本発明の一実施形態において、特定の電子メールアドレスから受信されたワード、エクセル及びＰＤＦファイルのような特定のタイプの添付ファイル、またはすべての添付ファイルがあらかじめ特定された移動先フォルダに自動に保存されるようにユーザーが特定させるようにする。本発明はまた、特定の発信者からの電子メール添付ファイルが特定のフォルダに受信されて保存され、これに対応して連動されたフォルダのプレゼンテーションが変更されるとき、警報が発生されるように、ユーザーが規定させるようにする。
【００１８】
バックグラウンド強調表示、ボールド表示、下線表示またはイタリック体で表示されるか、ブリンクまたはフラッシュを有するフォントタイプ及びサイズを使用して、ファイル、フォルダまたはメディアアイテムの名が全体的にまたは部分的に色でディスプレーされる。これらの属性は、これらのアイテム名の部分にこれらの変更事項を適用することを含めて、ユーザーによって個別的に変更される。またカスタマイズされたファイルブラウザは、スタイル属性に基づいてファイル、フォルダ及びメディアの分類を許容する。
【００１９】
フォルダ及びこの階層的なアプリケーションに対するデフォルトスタイル定義
開示されたカスタマイズ可能なファイルブラウザは、ユーザーによってカスタマイズされ得るファイルシステムアーティファクトに対するデフォルト設定を使用する。変更事項は、アーティファクトのすべてのサブ項目に階層的に追加適用されるか、浅いインストンスに限定され得る。例えば、ユーザーは、フォルダ、ファイルまたはメディアの名が黒色のシステムデフォルトではないデフォルト設定を定義することができる。さらに、ユーザーは、特定のフォルダに対する特定のデフォルトスタイルを定義して該当フォルダのすべてのファイル及びサブフォルダ名が階層的に該当スタイルを使用するので、すべてのファイル、フォルダ及びメディアの名が“赤色”で現われるようにすることができる。ユーザーは、個別のサブフォルダに対するこのようなデフォルト設定を無視することができるので、この変更事項をすべてのサブ項目に選択的に伝播することができる。
【００２０】
スタイルをベースにする分類
本発明の一実施形態において、ユーザーは、スタイル属性によって分類された名前でコンピューターディレクトリまたはフォルダの内容を表示するように許容され、ここで、特定のスタイルを使用する名前がそのスタイルを使用しないものよりも辞書編集上で上位に配置される。スタイルは、ユーザーによって選択された方式において優先順位が付けられ、各スタイルは、全般的な優先順位方式において有意性のレベルを定義する。スタイルベースの辞書式順序方式はまた、部分的にボールド表示、下線表示またはイタリック体表示されたフォントであるアーティファクト名にも適用され、部分的にスタイルを使用する名前は、該当のスタイルを完全に使用する名前よりも辞書編集上で下位にある。
【００２１】
メタデータまたはプレビューで保存
開示されたシステムは、与えられたファイル、フォルダ、またはメディアアイテム、またはファイル、フォルダ、またはメディアアイテムのセットに対するディスプレー設定を定義するためのオプションをユーザーに提供する。対象アイテムの色、形状、サウンド、及びアイコンサイズを定義するための様々な基準が使用され得る。本発明の一実施形態において、ファイル、フォルダ及びメディアプレビューのためのこれらの値は、連動されたファイル、フォルダ及びメディアアイテムを有するメタデータとして保存される。本発明の一実施形態において、特性は、ファイルブラウザによって定義されて保存され、関連ファイル、フォルダまたはメディアアイテムをプレビューする際に使用される。
【００２２】
開示された本発明において、コンピューターシステムのユーザーが、ファイル及びフォルダのカスタマイズされた視覚化を統合させるようにする改善されたシステムが開示され、これは、より容易にこれらを位置させる付加的な基準のベースを形成する。
【００２３】
本出願に開示されたシステムは、独立的にまたは他の検索オプションと共に検索され得るファイルまたはフォルダに対する複数の属性または特性を可能にして、ユーザーのための検索または分類選択権を増加させることによってユーザーの生産性を増加させるのに役に立つようなカスタマイズされた視覚化方法論を提供する。
【００２４】
また、これらの属性のうちの一部が特定の緊急事態の発生時に変更事項を適用するようにユーザーが特定できるように具現される。ユーザーがこのような属性の変更事項を認める場合、このような緊急事態が発生したか発生していないかどうかを直ちに知るようになり、したがって、取るのに適切であると判断されるこのようなステップを取ることができる。
【００２５】
時間敏感性注釈−サポートされるアイコン及び名前の変更
またユーザーが、例えば、ファイルまたはフォルダ名を強調表示することによって、システムがユーザーにいくつかのイベントを知らせる条件を設定するできることが開示される。したがって、ユーザーがファイルを受信者に５日以内に送信しなければならないことを今日分かっている場合、これらがペンディング中のファイルに注意を引くようにするために、ファイル及び／またはフォルダを強調表示するように４日の警報を設定することができる。
【００２６】
さらに、開示された発明は、連動されたファイルシステムアーティファクトのプレゼンテーション属性の規則ベースの修正を統合する。ここに開示されたカスタマイズされたブラウザは、規定された時間期間の経過後にまたは規定された緊急事態の発生時に、これらの表示属性を変更し得る能力を提供する。したがって、ユーザーがファイルやフォルダのサイズに基づいて規則を関動させて特定すると、該当アイコンスタイルが変更されるか、ファイルサイズが閾値を超過して増加するとき、該当名スタイルが変更される。同様に、ファイルに時間敏感性内容が含まれている場合、ファイルがあらかじめ特定された日数の間に開かない状態であるとき、該当プレゼンテーション属性が変更され得る。
【００２７】
バージョン管理
開示されたシステムは、複数のバージョンのファイルが同じ名で保存されるが、異なる色で保存され得るように許容する。ユーザーは、以前のバージョンに与える色と、保持する以前のバージョンの数をまた定義することができる。したがって、例えば、ユーザーは、最新ファイル名が黄色である一方に、以前ファイル名は赤色であり、その以前ファイル名は青色で規定することができ、保持される前にはバージョンがないと規定することができる。またユーザーは、最新バージョンを見るか、開かないと、さらにより最新バージョンの自動保存が発生しないように許容することができる。これは、いくつかの更新された文書が短い時間内に受信された場合、以前バージョンから偶然に削除されることに対して警戒する。
【００２８】
電子メール添付ファイルの自動及び案内保存
本発明の一実施形態において、ファイル及びフォルダ属性は、電子メールを受信するコンピューターシステムに基づいて自動的に変更される。典型的なコンピューターシステムにおいて、電子メールは受信ボックスに受信され格納される。カスタマイズされたブラウザは、特定された規則によってまたはユーザーによって特定される指定されたフォルダにこれらの添付ファイルを保存することによってこれらの添付ファイルを処理する。ユーザーは、特定の電子メールアドレスから受信された電子メールが特定のフォルダに自動的に保存される方式を規定する規則を定義することができる。代替的に、ユーザーは、添付ファイルを自動に保存すること以外にユーザーがフォルダにファイルを保存するように案内されることを規定することができる。ユーザーは、複数の発信者アドレスに対して異なるフォルダを規定することができる。追加的に、ユーザーは、特定の電子メールスレッドに対するデフォルトのフォルダ設定を無視し、代替的な対象フォルダを規定することができる。
【００２９】
電子メール添付ファイルが指定されたフォルダに自動に保存されると、コンピューターユーザーに文書が保存された事実を知らせるために、ユーザーは、フォルダのプレゼンテーション特徴が修正される方式を規定する。このようなプレゼンテーション変更は、フォルダ名を指定するのに使用されるアイコンの色、アイコンのサイズ、アイコンの形状、またはフォントスタイル及び色を含む。他のプレゼンテーション修正がカスタマイズされたブラウザによってサポートされる−例えば、そのフォルダに保存された文書を示す数字に円で取り囲まれた記号を追加することができる。これは、コンピューターシステムのユーザーに、そのフォルダに移動してこれらの添付されたファイルを検討するように知らせることを容易にする。
【００３０】
さらに、ユーザーが自動保存を選好するないと、文書が自動に保存されない。代わりに、カスタマイズされたブラウザは、添付された文書をユーザーが選択した移動先フォルダに保存することを補助する。案内保存モードにおいて、添付された文書を保存するフォルダを選択するために、複数のあらかじめ定義された選択権がユーザーに提供される。したがって、このアプリケーションは、あらかじめ特定されたまたは動的に特定された複数の位置のうちの１つ以上への案内保存のためのモードだけでなく、特定された位置への自動保存をサポートする。
【００３１】
機械可読コードとファイル連動する
名前に加えて、フォルダ、ファイル及びメディアを含むすべてのファイルシステムアーティファクトには、容易な識別をための連動されたバーコード、ＱＲコード、または同様の機械コードが発生されるように許容される。これらのコードは、各アーティファクトに割り当てられた人間可読名前に加えて、ファイルシステムアーティファクト上に配置される。このような特徴は、特定された機械コードで素早くファイルを検索してリトリーブできる他のコンピューターまたは装置によってファイルを迅速に識別することを補助するようにデザインされる。また人間は、ファイルシステムアーティファクトに対する参照として機械可読コードを使用する。開示された発明は、ポップアップボックスを配置し、ユーザーが検索プロセスを開始するために、機械コードをそこに配置できるようにすることによって機械コードベースの検索に対する人間の要請を処理する。
【図面の簡単な説明】
【００３２】
本発明は、添付された図面と共に説明されるものであり、ここで参照番号が要素に指定されると；ここで、
【図１】図１はファイル名及びフォルダ名がユーザーのカスタマイズされた色、フォント重さ、スタイル及びサイズでディスプレーされる本発明の一実施形態を示す；
【図２】図２はフォルダに対するカスタム色コードの使用を示し、ここで複数の色コードがフォルダに使用される；
【図３】図３はファイル及びフォルダに対するユーザーカスタマイズされたアイコンを含む本発明の一実施形態を示す；
【図４】図４はフォルダに対する異なる色及びアイコンサイズを活用する本発明の一実施形態を示し、ここでフォルダアイコンのサイズは、フォルダのサイズまたはユーザーに対するフォルダ内容の重要度に左右される；
【図５】図５はファイルブラウザのカスタマイズを示し、ここでカスタマイズされたビューは、ユーザーカスタマイズされた色を含むことができるファイル及びフォルダアイコン上に重ねられる固有した形状を統合させることを含む；
【図６】図６はあらかじめ定められた時間期間の間にファイルを作業しないとき、色、サイズ、または形状または他の属性が変更される時間依存方式でフォルダ及びファイル色のカスタマイズを示す；
【図７】図７はファイルサイズ、非修正持続時間、及び視覚化の範囲に関連した複数のサブ−規則でファイル及びフォルダ視覚化のカスタマイズのためのインターフェースを示す；
【図８】図８は視覚的カスタマイズ属性を使用してファイル及びフォルダを検索するためにカスタマイズパラメーターが使用される使用ケースにおける情報の流れを示す；
【図９】図９はファイル及びフォルダに対する視覚的カスタマイズ情報を格納するためにインデックスノードまたはｉ−ノードが使用されるシステムの一実施形態におけるファイルシステムの組織を示す；
【図１０】図１０はファイルシステムアーティファクトに適用された視覚的カスタマイズスタイルに基づいてファイルシステムアーティファクトに対する分類スコアを計算するためのフローチャートを示す；
【図１１】図１１は特定の電子メールアドレスまたはドメインに連動された受信者から電子メール添付ファイルを自動保存するための規則定義の一例を示す；
【図１２】図１２は特定の発信者から受信された電子メールメッセージを保存することにおいて、受信者を案内する目的で、特定の発信者に連動された複数のフォルダを定義するプロセスを示す；
【図１３】図１３は発信者から受信された電子メールに添付されたファイルのセットを発信者の電子メールアドレスに連動されたフォルダのセットに保存することにおいて、受信者を案内するために活用されるステップを示す；
【図１４】図１４は受信者の電子メールアドレスに連動されたフォルダのセットを有する受信者に対して作成される電子メールに添付するファイルを選択することにおいて、発信者を案内するために活用されるステップを示す。
【発明を実施するための形態】
【００３３】
テキストの特定の部分に注意を引くか、テキスト文書の重要度、関連性または有意性を示すための１つの方法は、強調表示テキストを使用することである。テキストを強調表示する典型的な方法は、より大きいフォントサイズ、ボールド表示フォント及びイタリック体フォント、下線表示テキストを使用するか、またはテキストレンダリングのために異なる色を使用することを含む。これらの方法は、とてもありふれて一般的に文字テキストになるとき使用されるが、同様の方法は、コンピューターファイルシステム上にディスプレーされるファイルシステムアーティファクトまたはファイル及びフォルダ名をディスプレーするのに適用されることができない。オペレーティングシステムは、コンピューターオペレーティングシステムのファイル及びフォルダビューオプションをシステム全体のレベル変更することができるが、色、フォント、アイコンの変更、及びファイルシステムアーティファクト名またはアイコンの強調表示は個別ファイルレベルでサポートされない。このような場合、ファイル及びフォルダ名のレンダリングはすべてのファイル及びフォルダに均一に適用されるため、ファイルまたはフォルダを互いに区別するためのものは何もない。ファイルシステムアーティファクトをカスタマイズ可能な形式でディスプレーするためのシステムが開示され、ここで、ユーザーがファイル、フォルダまたはメディアの視覚的詳細事項を選択するだけでなく、視覚的特徴が自動に変更されるように規則が提供される。また電子メール添付ファイルのカスタマイズされた添付及び保存と対象フォルダを含むアーティファクトのレンダリング及び視覚化のために、コンピューターシステム電子メールブラウザとシステムの統合が開示される。
【００３４】
電子ファイリングキャビネットまたはコンピューターフォルダまたはファイルの色コーディングは、名前及びアイコンカスタマイズから派生された分類コードを使用してフォルダに複数の色コード及び分類ファイルを付加するユーザーオプションを含む。コンピューターシステムファイルブラウザは、ファイルシステムアーティファクトに割り当てられた視覚化カスタマイズコードによってファイルシステムを検索する機能性を提供する。本発明はまた、ファイルシステムアーティファクトの色がイベントの発生に基づいて変更され得るようにする。システムは、カスタム視覚化パラメーターの変更条件に従うまた他のイベントとして、１つのファイルの閾値サイズまたは２つ以上のファイルが組合された閾値サイズ、または１つのフォルダの閾値サイズまたは２つ以上のフォルダが組合された閾値サイズ、またはイベントとしてタイミング期限の発生をサポートする。したがって、システム注釈は、規則としてユーザーに重要なあらかじめ定義されたイベントまたは条件のセットに基づいて与えられ、以後に動的に変更される。このような方式で、タイムクリティカルファイルまたはミッションクリティカルファイルがフォルダに保存されるもののような特定のイベントが発生したかどうかを色で指定する。これは、該ファイルを含むフォルダの色またはフォルダの１つ以上の他の属性が変更されるようにするか、ファイルの色他の属性が変更されるようにする。このようなシステムは、色変更効果を伝達してフォルダ階層構造に移動させるオプションを提供するため、ユーザーが色コーディングされた“ブレッドクラム（ｂｒｅａｄ−ｃｒｕｍｂｓ）”トレイルに沿ってクリティカルファイルまでドリルダウンできるようにする。ユーザーはまた、緊急事態をもたらしたファイルまたはフォルダをブラウジングした後に、関連フォルダまたはファイルの注釈属性変更事項が逆にするように規定することができる。したがって、システムは、このようなイベントの他の発生に再び対備する。
【００３５】
コンピューターファイルシステムアーティファクトのカスタマイズされたディスプレーのためのシステムが開示され、システムは、ディスプレー表面；名前、アイコン、コンピュータークロックによって定義された生成時間、アクセス時間及び更新時間（生成時間、アクセス時間及び更新時間は、それぞれ数字である）、連動されたサイズを有する格納された内容、アーティファクトの格納された内容をコンピューターファイルシステムに格納するために割り当てられる格納空間、及び視覚的表示を有するアーティファクト、ここで、視覚的表示は、名前に対するフォント名、フォント重さ、フォントスタイル、及びフォント色を含む名前視覚的表示、及びアイコンに対するアイコンイメージ、アイコン色、及びアイコンサイズを含むアイコン視覚的表示をさらに含み、名前視覚的表示とアイコン視覚的表示とを含めることによって、ディスプレー表面上にアーティファクトのカスタマイズされたディスプレーを生成するように適応されたレンダリングザブシステムを含む。システムの一実施形態は、（バーコード、ＱＲコード）；機械コードの視覚的表示からなるグループから選択される連動された機械コードを備え；レンダリングザブシステムのアーティファクトディスプレーはまた、機械コードの視覚的表示を含む。システムの一実施形態は、アーティファクトとの連動されたサウンドレコーディング；オーディオスピーカーを介して再生するように適応されたサウンドレコーディングのオーディオ表示を備え；レンダリングザブシステムのアーティファクトディスプレーは、信号を受信するときにオーディオ表示を再生することをさらに含む。
【００３６】
図１は、ファイルまたはフォルダ名のテキストが、ユーザーカスタマイズされた色、フォント重さ、スタイル及びサイズでディスプレーされる本発明の一実施形態を示す。本発明の一実施形態において、いくつかのファイル及びフォルダ名は、その重要性を示すためにボールド表示１０２でディスプレーされる。本発明の一実施形態において、追っている期限または期限経過された期限を示すために、いくつかのファイル及びフォルダ名は、赤色１０４（白黒図面で代替的なフォントで表示される）でディスプレーされる。本発明の一実施形態において、いくつかのフォルダ及びファイルは、それらが分類されていることを示すかまたは法律文書であることを示すために、特定の色１０４、１０６（白黒図面で代替的なフォントで表示される）にディスプレーされる。本発明の一実施形態において、ユーザー特定のファイルまたはフォルダセット名前のテキストは、フラッシュされるか、間欠的にターンオン及びターンオプされる。本発明の一実施形態において、いくつかのファイルまたはフォルダ名は、文書が付加的な注釈を含むことができることを示すために下線表示される１０６。したがって、コンピューターシステムのファイルブラウザは、このユーザーが各個のファイル及びフォルダに対してユーザーによって提供されたフォント仕様に基づいてファイル及びフォルダ名がディスプレーされる属性を割り当てるようにする。ファイル及びフォルダは、ユーザーが最優先のフォント仕様を提供しないとき、これらのデフォルトシステム全体（またはフォルダ全体）の均一なフォント仕様でディスプレーされる。
【００３７】
図２は、フォルダのためのカスタム色コードの使用を示し、ここで、複数の色コードがフォルダに使用される。コンピューターシステムのユーザーは、フォルダにどのような色（または色など）を与えるかを決定する。いくつかの色のオプションが提供される。またユーザーは、虹色からカスタマイズされた色を作るように許容される。ユーザーはまた、多色のフォルダを規定することができる。このような機能性に対する例示として、インジゴ色２０４は、そのクライアントに対して現在活性であるすべてのケースを示すために使用されることができ、黄色２０２は、考慮中のすべてのケースを示すために、青色は完結したケース２０６を示すために、緑色は書信２０８を示すために、そして、赤色２１０は合意に至ったケースを示すために使用され得る。色は、白黒図面で代替的な陰影パターンで表示されることを認識することができる。このようなユーザーは、特定のフォルダに１つ以上のこのような注釈に関連したファイルまたはサブフォルダが含まれている場合、その特定のフォルダに１つ以上の色を与えることができる。したがって、特定の色のフォルダを検索する場合、該色で独占的に注釈が付けられたフォルダを見せてくれるか、または該フォルダの注釈のうちの１つを見せてくれるビューのみをユーザーに示す。
【００３８】
アーティファクトがコンピューターファイルシステムフォルダであるコンピューターファイルシステムのカスタマイズされたディスプレーのためのシステムが開示され、ここで、ファイルシステムフォルダは、複数のファイルシステムアーティファクトをさらに含み；レンダリングザブシステムのアイコンサイズディスプレーは、ファイルシステムフォルダ内のすべてのアーティファクトの内容サイズに比例するように適応される。コンピューターファイルシステムアーティファクトのカスタマイズされたディスプレーの一実施形態は、視覚的表示を備え、また、ファイルシステムフォルダに属して格納された複数のアーティファクトの数を表示する数字を含む。
【００３９】
コンピューターファイルシステムアーティファクトのカスタマイズされたディスプレーのためのシステムが、ここに開示され、ここで、アーティファクトは、ＶＩＰフォルダに連動されたメンバーシップ；ＶＩＰフォルダの視覚的表示を備え；レンダリングザブシステムのＶＩＰフォルダディスプレーはまた、ＶＩＰフォルダ内への連動されたメンバーシップを有するアーティファクトの視覚的表示を含む。
【００４０】
ユーザーは、分類のために色の階層構造を規定することによって、色別にフォルダを分類することができる。本発明の一実施形態において、分類順序は、ＶＩＢＧＹＯＲ（バイオレット、インジゴ、青色、緑色、黄色、オレンジ、及び赤色）またはユーザーが規定した任意の階層構造に基づく。図１０で後述するものと同様のロジックを使用して、ユーザーは、フォルダまたはフォルダの下のすべてのフォルダに、またはフォルダの下の規定された数のレベルに、色または分類順序を適用するように選択することができる。このような方式で、システムは、ユーザーが規定した分類順序に基づいて、異なるフォルダに対して異なる階層構造の使用を許容する。本発明の一実施形態において、多色のフォルダは、色の数に応じて階層構造を規定するので、より多い数の色を有するほど階層がより高くなる。ユーザーは、規定された色、または複数の色、または規定された色のうちの一つ以上またはこれらの任意の組み合わせを有するフォルダを検索することができる。
【００４１】
本発明の一実施形態において、ユーザーは、５日間の非活動以後のような特定のイベントの発生時に、またはフォルダのサイズが閾値を超過するとき、または特定の閾値だけサイズが減少されるとき、または、例えば、電子メールクライアントから該フォルダに文書が自動保存されるとき、与えられたフォルダ名がフラッシュされるか、この名前がフラッシュされるように規定することができる。本発明の一実施形態において、ユーザーは、特定のイベントときにまたは文書を該フォルダに自動保存するとき、そのフォルダの色が変更されるように規定されるように許容可能である。
【００４２】
図３は、ユーザーカスタマイズされたフォント色を含むだけでなく、ファイル及びフォルダに対するユーザー特定のアイコンを含む本発明の一実施形態を示す。したがって、システムは、会社がその自分のアイコンをデザインすることができるようにして、アイコンがユーザーによって選択され所望通りにファイルシステムアーティファクトに適用され得るようにする。会社はまた、該フォルダを開くとき再生されるその自分のテーマ音楽をデザインすることができる。これらのサウンドまたはアイコンは、ファイル及びフォルダを識別して、これらを一目で互いに区別するか、サウンドバイトを聴取することによって区別するために使用されることができる。現在、ファイル及びフォルダは、これらの色と形状のため、容易に識別される。フォルダのためのアイコンは、ファイル３０２のためのアイコンと明らかに異なる。ユーザーがファイルだけでなく、フォルダに対してこれらのすべての特徴を許容する場合、フォルダからファイルを識別し難くなることができる。このようなシステム下で、ファイル及びフォルダに対して異なるアイコン３０２を規定することが許容可能であるので、ユーザーがフォルダ及びファイルに対して許容されたアイコンのデータセットを規定するように許容して、これらを一目で迅速に区別することができる。
【００４３】
本発明の一実施形態において、ユーザーは、各々のサブフォルダに対してデータセットを異なりに定義することができる。また、シンボルまたはアイコン（例、“−”、“。”または“＞”）を（以前／以後／上／下／上に）配置し、フォルダまたはファイルとしてこれを識別するように規定することができる。ユーザーは、いくつかのデフォルトオプションを選択するように許容され、所望通りに自分のアイコンを作るように許容される。
【００４４】
図４は、フォルダに対して異なる色及びアイコンサイズを活用する本発明の一実施形態を示し、ここで、フォルダアイコンのサイズは、フォルダのサイズまたはフォルダ内容の重要度に左右される。色は、白黒図面で代替的な陰影パターンで表示されることを認識することができる。本発明の一実施形態において、ユーザーは、あらかじめ定義されたサイズのセットまたはユーザーによって生成されたサイズから選択することにより与えられたフォルダに対するアイコンのサイズを決定する。フォルダアイコンのサイズはまた、その中に格納されたファイルの内容の全体サイズに応じる数値に基づくことができる。本発明の一実施形態において、フォルダのサイズはまた、そのフォルダ内のすべてのファイルのサイズが特定の限度を超過する場合、またはフォルダ内のファイル数が特定の数を超過する場合及び超過するとき、または文書を自動に保存するときのような、イベントによって決定されることができる。本発明の一実施形態において、フォルダ内のサブフォルダのカウントが特定の数を超過すると、これは特定のサイズのアイコン４０６でディスプレーされる。本発明の一実施形態において、あらかじめ定義された間隔の間に該フォルダに活動がなければ、これは元々使用されたアイコン４０４よりも大きくディスプレーされる。フォルダアイコンサイズは、これらの条件のうちのいずれかの一つに基づいて更新される。例示として、５つ未満の活性ケースがあるクライアントに対して小さいサイズのフォルダアイコン４０４が使用される法的アプリケーションを考慮する。本発明の一実施形態において、あらかじめ定義された時間期間の間またはフォルダに文書を自動に保存するとき、フォルダ内の任意のファイルに対する活動がなければ、フォルダに対するアイコンサイズは小さくなる。付加的に、フォルダアイコンのサイズは、ファイルの数またはファイルに含まれたすべてのファイルのサイズに応じて増加または減少する。
【００４５】
ここで開示されたコンピューターファイルシステムアーティファクトのカスタマイズされたディスプレーのためのシステムは、アーティファクトの連動された第１の視覚的表示を有する第１の条件、及びアーティファクトの連動された第２の視覚的表示を有する第２の条件を含む規則をさらに含む。本発明の一実施形態において、第１の条件は、格納された内容サイズがあらかじめ定義された閾値未満であるように特定し、第２の条件は、格納された内容サイズがあらかじめ定義された閾値よりも大きいように特定する。本発明の一実施形態は、コンピュータークロックによって得られた現在時間をさらに活用するが、ここで、現在時間は数字であり、第１の条件は、現在時間とアクセス時間との間の差があらかじめ定義された閾値未満であるように特定し、第２の条件は、現在時間とアクセス時間との間の差があらかじめ定義された閾値よりも大きいように特定する。
【００４６】
図５は、ファイルブラウザのカスタマイズを示し、ここで、カスタマイズされたビューは、ユーザーカスタマイズされた色を含むことができるファイル及びフォルダアイコン上に重ねられる固有した形状を統合させることを含む。これらの形状内に階層構造を与えることを所望のユーザーはまた、異なる形状のアイコンを有したフォルダも組織することができる。システムは、フォルダの形状でフォルダの分類及び検索を許容する。システムは、ユーザーが、フォルダアイコンに使用される他の属性及びスタイルと共に使用される矩形、三角形、円形などのようにあらかじめ定義された複数の形状のうちから選択するように許容する。本発明の一実施形態において、ユーザーはまた、自分が選択した形状を定義するように許容される。例示として、ユーザーは、環境問題に関連したフォルダに対して木を描くか、または建設問題に対してダンプトラックを描くか、または電気問題に対して送電線を描くことができる。付加的に、ユーザーは、アイコンをコピーしてフォルダの特性定義に貼り付けることによって、会社のアイコンをフォルダの視覚的属性として連動させることができる。
【００４７】
表１：時間依存的な色変更のための規則
【表１】
2018533150.tif 000003
【００４８】
開示されたカスタマイズされたブラウザは、ユーザーが任意のディスクまたはシステムまたは任意のフォルダの任意のサブフォルダ内の特定の形状５０６のフォルダまたはファイルを検索するように許容する。これは、ユーザーが、フォルダ内容のサイズ範囲のような他の基準と共に特定の形状のすべてのフォルダを見るか、またはフォルダに１つ以上の色で注釈を付けるように要請することを許容する。例示として、ユーザーは、手数料に関するすべてのクライアントフォルダに対して三角形５０２の形状を与え、手数料を滞納したクライアントのフォルダ５０４に対して円形の形状を与えることができる。したがって、ユーザーは、円形のすべてのフォルダを表示するようにシステムに要請して、滞納したクライアントが識別されるようにすることができる。
【００４９】
図６は、あらかじめ定められた時間期間の間に重要ファイルを作業しないときにフォルダまたはファイルの色が変更される時間依存方式でフォルダ及びファイルの色のカスタマイズを示す。本発明の一実施形態において、ユーザーは、重要なファイルに注意を引くためにフォルダを彩色するための規則を特定する。図６及び表１（ａ）に示されたように、フォルダの色は、フォルダ内のファイルに対する修正履歴によって指示される。これは、定期的に作業する必要があるファイルがフォルダに含まれている状況である。このようなフォルダ内のファイルを定期的に作業するとき、フォルダ色は緑色６０２であり、−−表１（ａ）に示したように、規則６０４によって特定されたデフォルトフォルダ色である。開示されたカスタマイズされたファイルブラウザは、フォルダの下の階層構造にあるすべてのファイル上の修正タイムステンプ及びシステムクロックと相互作用して時間依存的なフォルダ視覚化をレンダリングする。表１（ｂ）に示したように、３０日の期間の間にファイルが修正されなかったら、フォルダ色が黄色に変更される。そして、フォルダ内のファイルが６０日にわたって修正されない場合、フォルダ色が赤色に修正される。
【００５０】
システムは、任意のレベルでＶＩＰフォルダの仕様を許容する。ユーザーは、ファイル、フォルダまたはメディアのような任意のファイルシステムアーティファクトをＶＩＰアーティファクトとして指定することができる。このような指定の結果として、アーティファクトはシステム全体のＶＩＰフォルダに表れる。またシステム全体のＶＩＰフォルダに表れるように、アーティファクトに対する付加的な基準を特定することができる。例示として、あらかじめ定義された日数（例、５日）の間に活動がない場合、表１（ｂ）の規則は、フォルダへのショートカットがシステム全体のＶＩＰフォルダに表れるように提供することができる。代替的に、文書を指定されたフォルダに保存すると、該フォルダへのショートカットがシステムのＶＩＰフォルダに自動に追加される。このようなＶＩＰイネーブルされたフォルダは任意のフォルダレベルで規定される。例示として、５日以内に措置が要求される任意の赤色のアーティファクトは、システム全体ＶＩＰフォルダにショートカットとして追加される。
【００５１】
図７は、表２と共に、ファイルサイズ、非修正持続時間、及び単一フォルダまたはすべてのサブフォルダに対する視覚化の範囲に関連する複数の規則を通じたファイル及びフォルダ視覚化のカスタマイズのためのインターフェースを示す。
【００５２】
本発明の一実施形態において、表２に示した３つの規則のセット７０２は、フォルダの視覚化のために使用されるアイコンの色及びアイコンのサイズを管理するのに使用される。ファイルシステムアーティファクトに対する規則に基づく注釈は、３つのサブ規則で特定される。第１のサブ規則として、示されたサブ規則１で、５日間にその内に含まれた任意のファイルに対する修正がなければフォルダの色が赤色に変更される。第２のサブ規則として、示されたサブ規則２は、その内に含まれたファイルが１００ＭＢを超過すると、フォルダアイコンのサイズが増加されるように提供する。最後に、第２サブ規則として、サブ規則３は、フォルダがシステム全体のＶＩＰフォルダに追加され、３０日の期間の間にフォルダ内の任意のファイルに対する活動がないことを明示する。他のファイルシステムアーティファクトに対しても、同様の規則セットが規定され得る。このような仕様は、システムがサポートする動的注釈変更事項の一般性の例示である。
【００５３】
表２：ファイル及びフォルダのプレゼンテーションのための混合規則
2018533150.tif 000004
【００５４】
コンピューターファイルシステムのカスタマイズされたディスプレーのためのシステムが開示され、システムは：ディスプレー表面、複数のアーティファクト、ここで、各々のアーティファクトは、フォント名、フォント重さ、フォントスタイル、及びフォント色を含む‘名前視覚的表示’を有する名前を有し、アイコンタイプ及びアイコンを含むアイコン視覚的表示を有するアイコンを有し、コンピューターファイルシステムの一部であり、複数の直系ペアレント（ｐａｒｅｎｔ）アーティファクトに関連し、複数の直系チャイルド（ｃｈｉｌｄ）アーティファクトに関連し；あらかじめ定義された方式で複数のアーティファクトの視覚的表示を組織することによって、ディスプレー表面上に複数のアーティファクトのカスタマイズされたディスプレーを生成するレンダリングサーブシステム、ここで、アーティファクトの視覚的表示は、アーティファクト名の視覚的表示及びアーティファクトアイコンの視覚的表示を含み；複数のアーティファクトはディスプレー表面上にディスプレーされ、ディスプレーされた各々のアーティファクトは、ディスプレーされた他のアーティファクトのそれぞれに関連されることを含む。システムの一実施形態において、名前の視覚的表示及びアイコンの視覚的表示は、アーティファクトの内容によってあらかじめ決定される。システムの一実施形態において、アーティファクトのアイコンの視覚的表示及び名前の視覚的表示は、直系チャイルドアーティファクトに循環的に適用される。システムの一実施形態において、アーティファクトは、名前の視覚的表示またはアイコンの視覚的表示による検索に適応される。
【００５５】
図８は、ファイル及びフォルダを検索するためにカスタマイズパラメーターが使用される使用ケースにおける情報の流れを示す。コンピューターシステムにおいてファイルを検索する現在の方法は、ファイルまたはフォルダの名前によって、またはこの名前やファイル内に含まれた一部の文字列によって、ファイルまたはフォルダを識別することに限定される。これは、多数のオプションで検索するときに該ファイルやフォルダを探すことを希望する場合に、検索オプションは事実上しばしば多くのファイルに共通的な文字列のみであるという点で、ユーザーのオプションを厳しく制限する。開示されたシステムは、ユーザーに検索選択権を増加させて、以前に検索基準８０６として使用された他の標準名前検索パラメーター（ＳＡＶ）と独立的にまたは連携され得る注釈または視覚化に基づくパラメーター（ＰＡＲＳ）のようないくつかの他の特性８０４を定義することができる。したがって、これは、ユーザー８０２が探しているファイルまたはフォルダを検索するのに使用され得る視覚的特徴、特性または属性をユーザーが割り当てることができるようにする。また例えば、色、アイコンサイズ、強調表示またはボールド表示または下線表示またはこれらの組み合わせを検索に使用できるので、迅速に識別することを補助する方式でファイル及びフォルダがマーキングされ得る長所がある。
【００５６】
本発明の一実施形態において、ユーザーが、ファイルまたはフォルダの名前に表れる色を定義する基準によって、ユーザーがファイルまたはフォルダ（ＦＯＬ）を検索することができる８０８。したがって、例えば、ユーザーがファイル名に赤色と緑色を有するが、強調表示されていないすべてのファイルを与えれたフォルダに表示するように要請する場合、該検索は、所望のファイルに迅速に連結されて結果をディスプレーする８１０。
【００５７】
本発明の一実施形態において、カスタマイズされたファイルブラウザは、コンピューターのファイルシステムをオーバレイするシェルとして具現される。これは、ファイルシステム上のファイル及びフォルダのリストをリトリーブし、各ファイルまたはフォルダに属性及び規則のセットを統合させる。これらの属性は、ユーザーがコンピューターシステムのアイコン、フォルダ及びファイルのサイズを様々なサイズを有するように変更させるだけでなく、ファイル及びフォルダの名前がディスプレーされる方式に対してフォント仕様を提供させる。システムの一実施形態として、特殊なファイルシステムのための適切なインデクシングノードを活用することによって、ユーザーがカスタマイズデータをコピーして互換可能なファイルシステムにコピーし、カスタマイズを保持するように許容する。したがって、フォルダ、ファイル及びメディアは、これらの注釈を再追加する必要なしに、他のコンピューターシステムにおいて同様の方式で見えられる。同様に、発信者と受信者が互換可能なファイルシステムを使用する場合、このようなデータはファイル添付として電子メールで転送可能である。システムの一実施形態において、ファイルシステムは、カスタマイズされたファイルシステムブラウザアプリケーションに連動される。このようなカスタマイズされたファイルブラウザを使用する受信者コンピューターシステムは、ファイルを注釈データが含まれたものとして直ちに識別し、カスタマイズ可能なファイルシステムブラウザによるさらなる解釈のためにこれを保存して、ファイルシステムアーティファクトを見る人がこれを生成した人と同じ視覚化を有するようにする。
【００５８】
本発明の一実施形態において、名前に加えて、すべてのファイルシステムアーティファクト（フォルダ、ファイル及びメディア）はまた、バーコードまたは他のこのような機械可読コードを含むことができる。これは、他のコンピューターまたは装置によってファイルを迅速に識別するのに役に立つ。バーコードは、本発明の一実施形態におけるアイコン視覚化の一部として含まれる。バーコードまたは他の機械可読コードは、他の装置がコードを素早く読み取り、所望のファイルを検索できるようにする。
【００５９】
本発明の一実施形態において、ユーザーは、ファイルシステムアーティファクトに対する標準オプションを定義して、特定の緊急事態の発生時に色、サイズなどを変更するように許容される。カスタマイズ可能なファイルシステムブラウザは、あらかじめ定義された標準テンプレートとこれらの格納及び再使用可能性を提供する。したがって、ユーザーは、これらのオプションを特定し、単にオプションを選択するか、１つを選択してからカスタマイズを適用するオプションを有する。
【００６０】
コンピューターシステムは、一般に、ファイル及びフォルダを補助記憶装置（例、ディスク、テープ、プロッピィー、ペンドライブ、クラウドなど）に維持する。ファイル管理システムは、ファイルまたはフォルダの名前、実際ファイルへのポインタ、及びファイルまたはフォルダに承認された使用権限を含む追加的な説明属性を含むファイル割り当てテーブルまたはディレクトリ構造を維持する。ファイル割り当てディレクトリ構造のエントリはまた、特定のエントリがファイルまたはフォルダに関連するかどうかを指定する。異なるメディア（ドライブ、外付けドライブ、ペンドライブ、ＣＤドライブなど）の場合、通常、メディア属性はまた、ディレクトリ構造またはフォルダ内のファイルに連動されたクリップアートデータベースに維持される。また、ファイルタイプ（ワード、ＰＤＦ、エクセルなど）はファイル属性であり、または、通常、ディレクトリ構造で維持される。
【００６１】
現在システムが注釈及び視覚化のタイプを開示できないようにすると仮定すると、本発明の一実施形態は“ＳＡＰ”ファイルシステムと呼ばれる新しいファイルタイプを定義することによってこれらの特徴を具現する。新しいＳＡＰファイルシステム、ファイル割り当てテーブルまたはディレクトリ構造はまた、ファイルシステムアーティファクトに対する様々な注釈オプションに対する情報を格納する。したがって、例えば、色、強調表示、フォント重さ、フォントサイズ、フォントスタイルは、ファイルのためのファイルシステムインデックスノードにファイル名と共に格納される。注釈に基づくファイルシステム検索動作は、このような情報をリトリーブしてカスタマイズ注釈検索を行う。
【００６２】
さらに、本発明の一実施形態は、異なるカスタマイズされたフォントまたはアイコン、ピクチャー及びビデオまたは他のマルチメディアを使用し、ファイル及びフォルダに連動されたサウンドを再生するディスプレーを含む。これは、ファイルシステムのファイル説明テーブルにハイパーリンクを含めることによって達成され、ここで、ハイパーリンクは、ファイルシステムの予約されたセグメント上のこのようなフォント、アイコン、ピクチャー、ビデオ、他のマルチメディア、サウンドクリップを指す。
【００６３】
ここに開示された発明は、定義された時間期間後に、またはイベントが発生するときまたは発生しないとき、またはアーティファクトサイズ条件が満たされるか違反されるとき、変更されるファイルシステムアーティファクト名またはアイコンの色またはフォント装飾のような、ファイル及びフォルダに対するこれらのディスプレー属性のうちの一部を変更する動作を提供する。本発明の一実施形態は、ユーザーがファイル名属性を変更するために実行するオプションに関する情報を格納するファイル割り当てテーブルのファイル説明セクションに格納されたあらかじめ定義されたコンピューター言語で記録されたプログラミングコード部分であるプログラムマクロへのポインタを含む。このような方式で、ファイル名の属性及び他の特性は、分離して区別された状態に維持され、ユーザーが実行するオプションと独立的に検索され得る。属性変更は、マクロによって行われる。
【００６４】
ファイルまたはフォルダがコピーされる場合、ファイル属性修正規則マクロもコピーされ、貼り付けられる。システムは、ユーザーがカスタマイズのための多数の標準マクロを提供する。また、ユーザーは、マクロを独立的に定義することができる。
【００６５】
本発明の一実施形態に使用されたファイルシステム９００が図９に示されている。ファイルシステムは、本発明の一実施形態においてＳＡＰとしてファイルシステムタイプを指定するスーパーブロック９０２を含む。ファイルシステムのビットマップセグメント９０４は、ｉノードブロック及びデータブロックの両方に対するブロック使用に関する情報を格納する。このようなファイルシステムは、ｉノードブロック９０６を格納するように指定されたディスクで複数のｉノードを使用する。実際のデータブロックは、ファイル及びフォルダがデータブロック９０８に格納されるディスクの大部分を占める。各ｉノードは、ファイルに対するインデックスノードであり、データブロックへのブロックポインタを格納し、データブロックには、ファイルに関する他の情報だけでなく、ファイルが実際に格納される。既存のファイルシステムは、通常、情報の所有権及び使用権限情報だけでなく、生成、修正、及びアクセスタイムスタンプを格納する。
【００６６】
表３は、ＳＡＰファイルシステムが活用される本発明の一実施形態における各ファイルに対するｉノードブロックに格納されたメタデータを示す。図示された例示のように、ｉノードは、ファイル名のフォーマッティング、アイコンのサイズ、フォルダに添付される幾何学的形状のタイプ、ファイル名及びアイコンがフラッシュされるかどうか、ファイルに連動されたイベント、ＱＲ及びバーコードの発生または時間の関数としてファイルレンダリングの変更を特定するマクロに連動された、ユーザーが特定できる複数のメタデータ情報を含む。表３の陰影処理されたこれらのセルは、ファイルシステムアーティファクトに対する視覚化情報を具体的に示す。
【００６７】
表３：ファイルＩノードのメタデータ
【表３】
2018533150.tif 000005
【００６８】
本発明の一実施形態は、数字として表示される連動された分類コードをさらに含み、分類コードは、アーティファクト名、名前視覚的表示及びアイコン視覚的表示、アクセス時間、生成時間、更新時間、及び内容サイズに左右される。本発明の一実施形態において、アーティファクトの分類コードは、以下のように定義される：
2018533150.tif 000006
ここで、Ｂは基数単位（ｒａｄｉｘ  ｂａｓｉｓ）であり、iは注釈タイプを示し、ｆｉはアーティファクトの視覚的表示に使用された注釈タイプｉの分数である。
【００６９】
図１０は、基数単位が２であり、４つのテキスト注釈特性が考慮される一実施例について、ファイルシステムアーティファクトに適用されたスタイル属性に基づいてアーティファクトに使用された分類スコアを計算するためのフローチャートを示す。図示された例示において、ユーザーはファイルシステムアーティファクトの名前を視覚化するのに使用されたフォントスタイルに基づいて優先順位を定義した。図示された例示において、ＰＬＡＩＮテキストであるテキストスタイル１０００に対する優先順位が最も低い優先順位を有し、その次にＩＴＡＬＩＣＳテキスト、そしてその次にＢＯＬＤテキストが低い優先順位を有し、
2018533150.tif 000007
テキストが最も高い優先順位を有する。このような優先順位は、アーティファクト名の辞書式順序を表す分類スコアを決定するのに活用される基数単位にエンベデッドされる。
【００７０】
平文、イタリック体、ボールド体またはカラーである注釈名の分数は、それぞれ変数ｆｐ、ｆｉ、ｆｂ、及びｆｃで表示される１００２。これらの分数は、組み合わせられて指数加重方式を使用して、スタイル分数の寄与度を使用することによってスコアを生成する。平文に対する加重値１００４は２（０＋ｆｐ）であり、イタリック体に対する加重値１００６は２（１＋ｆｉ）であり、ボールド体に対する加重値１００８は２（２＋ｆｂ）であり、色に対する加重値１０１０は２（３＋ｆｃ）である。その次に、これらの個別加重値を組み合わせて、式（１）に示したように分類スコアまたは順位を算出する：
式（１）       
2018533150.tif 000008
【００７１】
一実施例として、１００％ボールド体の注釈名は、１００％イタリック体の注釈（スコア２（１＋１）または４）よりも高いスコア（２（２＋１）または８）を受け取る。５０％ボールド体の注釈は、依然として、１００％イタリック体注釈スコアの４に比べてより高いスコア（２（２＋０．５）または５．６５）を受け取る。
【００７２】
コンピューターファイルシステムのカスタマイズされたディスプレーのためのシステムが開示され、第１のアーティファクトが第２のアーティファクトよりも大きい複数の条件を定義する順序関係を定義する辞書式方式を使用して、複数のアーティファクトがディスプレー表面上にディスプレーされ、これにより、第１のアーティファクトが第２のアーティファクトに関連してディスプレー表面上のあらかじめ定義された位置にディスプレーされる。システムの一実施形態において、辞書式方式は、第１のアーティファクトＡが第２のアーティファクトＢよりも大きいことを以下の式で定義する：
2018533150.tif 000009
。
【００７３】
論理的分類機能を活用すると、加重値が高い視覚化注釈のわずかな分数のみを有するアーティファクト名が、より低い加重値を有する視覚化注釈で完全に飾られたアーティファクト名と比較するとき、より高い辞書式ランキングを受ける。したがって、例えば、名前の５０％がボールド体フォントであるファイル−Ａは、ボールド体フォントでその名前の２５％、及びイタリック体フォントでその名前の７５％を有するファイル−Ｂと比較してより高いランキングを受ける。ファイル−Ｂは、式（１）及び図１０に記述されたように、数値スキームを使用してより高い順位にランクされるが、式（２）の論理的公式化は、ファイル−Ｂよりファイル−Ａをより高い順位にランクするであろう：
式（２）  
2018533150.tif 000010
【００７４】
上のような修飾スキームにおいて、演算子（条件？Ｘ：Ｙ）は、条件が真であるときに動作Ｘを行う、条件が偽であるときに作業Ｙを行うことを当業者は認識するだろう。さらに、表記法
2018533150.tif 000011
は、ファイル−Ａの名前が色でディスプレーされる分数を示す。このような方式で、より低い優先順位の視覚化注釈は、より高い優先順位の分数であるときにのみ考慮される。
【００７５】
コンピューターファイルシステムのカスタマイズされたディスプレーのためのシステムが開示され、各々のアーティファクトは、アーティファクトの直系チャイルドの循環的カウントと同じ数字を含み、複数のアーティファクトのそれぞれのカスタマイズされたディスプレーは、数字のディスプレーをされに含む。システムの一実施形態において、アイコンの視覚的表示はアイコンサイズを含み、アイコンサイズはアーティファクトに連動された数字に比例する。
【００７６】
コンピューターファイルシステムアーティファクトのカスタマイズされたディスプレー方法が開示され：コンピューターファイルシステムを提供するステップ、ファイルシステムは、複数のアーティファクトを含み、各々のアーティファクトは名前とアイコンを有し、ファイルシステムアーティファクトは、フォント名、フォント重さ、フォントスタイル及びフォント色を含む名前視覚的表示を有する名前、及びアイコンタイプ、及びアイコン、アイコン色、アイコンサイズ、及びアイコン形状を含むアイコン視覚的表示を有するアイコンを含み；入力仕様装置を提供するステップ、入力仕様装置は、アーティファクト名、フォント名、フォント重さ、フォントスタイル、フォント色、アイコンタイプ、アイコン色、アイコンサイズ、及びアイコン形状のうちの１つ以上に関する情報を受信し；入力仕様に応答して複数のアーティファクトを識別し、複数のアートファクトを含む結果を生成するように適応された検索プロセス；及びディスプレー装置のディスプレー表面上に結果をディスプレーするステップを含む。
【００７７】
電子メールシステムとの統合：ファイルシステムブラウジングアプリケーションは、ユーザーが受信するか送信する電子メールメッセージに添付されたファイルの自動処理及び案内処理を定義するプロセスによって電子メールシステムの機能性と統合されるようにデザインされる。
【００７８】
本発明の一実施形態において、ユーザーは、添付ファイルをモニタリングするために電子メールアドレスを定義する。次に、ユーザーは、電子メールに添付された文書が自動に保存される複数のデフォルトフォルダ位置を定義するか、ユーザーに保存するように誘導されるだろう。ユーザーはまた、文書が電子メールアドレスに送信された電子メールに添付されるか、アップロードされ得る複数の選好フォルダ位置の個別セットを定義するか、選好アップロードフォルダが選好保存フォルダと同じように選択することができる。さらに、開示された本発明は、“＠ａｂｃ．ｃｏｍ”のような電子メールとして“汎用”ドメイン名を定義する機能を提供し、これは、ドメイン“ａｂｃ．ｃｏｍ”内のすべてのユーザーのクライアントをカバーするか、具体的にこれからの電子メールに添付された文書をキャプチャするか、または“ｊｏｅ＠ａｂｃ．ｃｏｍ”のような特定の発信者への電子メールに添付されて１つ以上の特定のフォルダを関連させることができる。その後に、文書は自動に保存されるか、該位置に保存されるように案内され、ユーザーが該発信者への電子メールを作成するとき、システムはユーザーに汎用で特定されるかまたはユーザーが所望の特殊方式で特定されたフォルダから文書を同様にアップロードするように誘導され得る。
【００７９】
本発明の一実施形態において、ユーザーは、これらの規則によってカバーされる文書タイプを定義することができる。したがって、例えば、ＤＯＣ、ＰＰＴ、ＸＬＳまたはＰＤＦ拡張子を有したファイルのような特定のタイプの文書が特定のフォルダに保存される場合、ユーザーは、それぞれのこのような電子メール識別子に対して示すように許容され得る。しばしば電子メールには、ユーザーが保存したくない無用な添付ファイルを含む。本発明の実施形態は、このような添付ファイルをフィルタリングするように補助し、無用なファイル（例、電子メールによく添付されるロゴ、署名及びアイコンなど）が不必要に自動的に保存されることを防止する。案内された保存において、ユーザーは、以前にユーザーによって定義された選好フォルダ位置に文書を保存するように誘導されるが、ユーザーが実際に保存するために添付ファイルを選択する。
【００８０】
電子メールのカスタマイズされた処理のためのシステムが開示され、システムは：あらかじめ定義された資格証明を使用して電子メールサーバーから複数の電子メールアイテムをダウンロードするように適応された電子メールダウンローディングザブシステム、複数の電子メールアイテムのそれぞれは、発信者電子メールアドレス、電子メール内容、及び複数の電子メール添付ファイルを含み、複数の電子メール添付ファイルのそれぞれは、添付ファイルタイプ、添付ファイル名、及び添付アイコンを有し、複数のフォルダを有するファイルシステム、各々のフォルダは、識別子によって固有に識別され、それぞれの複数の電子メール添付ファイルのうちの１つ以上を格納するように適応され；発信者電子メールアドレスに連動されたファイルシステムフォルダのリストを有する電子メール処理ザブシステム、及び電子メール処理ザブシステムは、複数の電子メール添付ファイルのそれぞれについて発信者電子メールアドレスを検査し、添付ファイルタイプを検査し、あらかじめ定義された添付ファイル処理作業を実行するように構成され；あらかじめ定義された添付ファイルレンダリング規則に基づいて複数の電子メール添付ファイルのそれぞれの視覚的表示を生成するように適応されたレンダリングザブシステムを含む。電子メールのカスタマイズされた処理のためのシステムの一実施形態は、電子メール処理ザブシステムによって行われる添付ファイル処理作業が１つ以上のそれぞれの複数の電子メール添付ファイルを１つ以上の複数のファイルシステムフォルダに自動保存することをさらに含む。開示された電子メールのカスタマイズされた処理のためのシステムの一実施形態は、電子メール処理ザブシステムによって行われる添付ファイル処理作業をさらに含み、添付ファイル処理作業は：複数のファイルシステムフォルダの識別子を含む入力をユーザーから受信するステップ；及びユーザー入力に含まれた１つ以上の複数のファイルシステムフォルダに１つ以上のそれぞれの複数の電子メール添付ファイルを保存するステップを含む。
【００８１】
本発明の一実施形態において、ユーザーは、電子メールに添付されたファイルをアップロードするために、特定の電子メールアドレスから受信された電子メールに添付されたファイルを保存するように最大３つの異なるデフォルトフォルダを定義することができる。したがって、ユーザーがこれらの電子メールをブラウジングし、このような電子メールアドレスから文書が受信されると、ユーザーがこれらのデフォルトフォルダのうちから１つを選択して文書を保存することができるオプションが提供される。電子メールアドレスに連動されたあらかじめ定義されたフォルダに加えて、含まれる他のフォルダ位置は、ユーザーが文書を保存した最後の位置に基づいて、ユーザーはこれらのうちの一つ、またはあらかじめ定義された選好フォルダのうちから一つを使用することができるか、完全に異なる位置を選択して文書を保存することができる。同様に、電子メールに文書を添付する際には、電子メールアドレスに連動されたあらかじめ定義されたフォルダに加えて、ユーザーは完全に異なる位置にブラウジングして作成中の電子メールに文書をアップロードして添付することができる。したがって、ユーザーは関心のある電子メールアドレスからの電子メールを自動に処理することができる。また、選好保存フォルダと以前に連動されていない電子メールアドレスから電子メールを受信すると、ユーザーは、これらの新しい選好フォルダを定義することができるオプションを有する。
【００８２】
本発明の一実施形態において、ユーザーが、該電子メールアドレスによって識別された特定の受信者へのメールを作成するときに、ユーザーは、文書が選択されるか、アップロードされるデフォルトフォルダ位置または複数のフォルダ位置を定義することができる。本発明の一実施形態は、ユーザーが、保存のためのデフォルトフォルダ位置（複数）、またはアップロードのためのデフォルトフォルダ位置を定義するか、ダウンロード及びアップロードのために同じフォルダ位置を使用できるようにする。一実施形態において使用されるデフォルトフォルダ位置は、デフォルトアップロード位置が定義された電子メールの第１の受信者に基づく。本発明の一実施形態は、電子メールを作成する間にユーザーが文書をアップロードした最近のフォルダ位置に基づいて付加的なデフォルトアップロード位置を使用する。これらの位置のうちのいずれの一つから、ユーザーがさらにブラウジングすることができる。当業者は、また電子メールの様々な受信者の優先順位に基づいてデフォルトフォルダ位置を規定することができることを認識するだろう。その次に、優先順位が最も高い人に対するデフォルトアップロード位置は、受信者の電子メールがリストされた順序によって最も高い優先順位が同じ場合に、連結が切れた状態で適用される。当然のことながら、発送者は、文書を選択して電子メールに添付するために、実行時間で完全に異なるフォルダをいつでも選択することができる。
【００８３】
本発明の一実施形態において、本発明のユーザーは、受信された文書が保存されるか、案内されて保存されるか、該アドレスへの電子メールを作成するときにアップロードのために案内される、電子メールアドレスを定義するように許容されるだろう。ユーザーは、文書の案内された保存及び案内されたアップロードのために、異なるフォルダセットを選択することができる。保存及びアップローディングのためのフォルダは、それぞれの電子メールアドレスに対して異なることができる。ユーザーは、電子メールアドレスを“ｊｏｅ＠ａｂｃ．ｃｏｍ”のような特定のフォーマットで定義するか、一般的に“＠ｘｙｚ．ｃｏｍ”として定義することができる。電子メールが汎用電子メールアドレス（すなわち、“ｘｙｚ．ｃｏｍ”ドメインのすべてのユーザー）から受信され、メッセージと添付された文書を送信する特定のユーザーが定義される連動された特定のプロフィールを有する場合、特定のユーザープロフィール詳細事項は汎用定義を無視する。
【００８４】
本発明の一実施形態は、電子メールに添付されたすべての文書をシステムデフォルト位置に保存し、その結果、ユーザーが選択するようにする警報によって文書発信者の該電子メールアドレスに連動されたフォルダへ文書を移動させる。
【００８５】
本発明の一実施形態において、電子メールモニタリングは、使用される電子メールクライアントとは区別される別個のプロセスによって、バックグラウンドで行われる。ユーザーは、グラフィカルユーザーインターフェースを使用して電子メールダウンローディング規則を定義する。その次、電子メールモニタリングプロセスは、これらの規則をダウンロードして適用して、特定の電子メールに添付された文書をダウンロードしてユーザーに知らせる。また、ユーザーは、これらの一般ワークフローを任意に中断することなく、これらの定期的な電子メールクライアントの文書を引き続き見られる。したがって、バックグラウンドでの文書ダウンロードが行われ、ユーザーによって活用される電子メールクライアントの無欠性を妨げずに、フォーカス文書の到着時にユーザーに知らせる。
【００８６】
開示されたアプリケーションは、電子メールにアクセスして、これらが定義された電子メールアドレスから送信されるかどうかを確認するように検査する。そして、この場合、関連文書がデフォルト位置に保存され、ユーザーに知らせる。デフォルト位置として指定されたフォルダの形状、色、及びサイズの注釈は、ユーザーが特定した視覚化規則に従って新しい文書の到着を反映する。
【００８７】
本発明の一実施形態は、ユーザーが該スレッドに対して文書を動的に保存してアップロードするためのデフォルト位置を定義する電子メールスレッドに処理プログラムまたはマクロを添付できるようにする。これを含むマクロまたはファイルが電子メールスレッドに添付された場合、デフォルト位置の定義はマクロの仕様によって無視される。
【００８８】
図１１は、特定のドメインに連動された受信者からの電子メール添付ファイルを自動保存するための規則定義の一例を示す。本発明の一実施形態において、ユーザーは、フォルダを右側クリックし、特定の発信者から受信された添付ファイルが自動保存される方法を定義することによって、特定のフォルダ１１０２への自動保存のための規則を特定する。図示された例示において、ユーザーは、発信者“ｊｏｅ＠ｘｙｚ−ｃｏｒｐ．ｃｏｍ”から受信された電子メールに添付されたすべてのファイルを自動に保存するためのサブフォルダ１１０４を定義する。システムは、“ｘｙｚ−ｃｏｒｐ．ｃｏｍ”ドメインのすべてのユーザーからすべての添付ファイルを保存するために指定されたメーンフォルダの下にサブフォルダが存在しない場合、このようなサブフォルダ１１０６を生成する。キーボードショートカットキー１１０８は、特定の発信者または与えられたドメインのすべての人からの電子メールの添付ファイルを自動保存するための迅速な仕様を許容する。システムは、ユーザー受信者が自動保存規則を設定することによって自動保存のためのフォルダ１１１０を選択することをサポートする。
【００８９】
図１２は、特定の発信者から受信された電子メールメッセージを保存するにおいて受信者を案内する目的で、特定の発信者に連動された複数のフォルダを定義するプロセスを示す。ユーザー受信者は、フォルダ１２０２を選択し、特定の発信者１２００のための第１の選好フォルダ１２０４になるようにこれを選択することによって、案内保存のための選好フォルダを開示する。同様に、ユーザーは、所望のフォルダ１２０６を選択することによって、第２の選好フォルダ１２０８を定義する。
【００９０】
ユーザーから電子メールの受信者のための選好フォルダを定義するプロセスが同様に特定される。ユーザーが選好フォルダのセットが特定された受信者への電子メールを作成されると、同様に受信者の電子メールアドレスに連動された選好フォルダから文書を選択することができる能力がユーザーに提供される。
【００９１】
図１２には、発信者に対する単一の電子メールアドレスで示されているが、複数の発信者電子メールアドレスが、自動保存だけでなく案内保存のために与えられたフォルダに連動され得ることは当業者に理解されるだろう。エンティティが電子メールを送信及び受信するために複数の電子メールアドレスを使用することができるため、このようなエンティティがエンティティの身元（ｉｄｅｎｔｉｔｙ：ＩＤ）を反映するフォルダに保存されるか、フォルダからリトリーブされることが認識される。
【００９２】
図１３は、発信者電子メールアドレスに連動されたフォルダセットに発信者から受信された電子メールに添付されたファイルのセットを保存することにおいて、受信者を案内するために、本発明の一実施形態において活用されるプロセスのステップを示す。ユーザーは、発信者１３０１に対する選好発信者フォルダセット１３００を以前に指定した。電子メールアプリケーションは、“ＪＳ＠ＸＹＺ−ＣＯＲＰ．ＣＯＭ”からの電子メールに添付されたファイルセット１３０２をディスプレーする。ユーザーは、添付ファイルセットから１つのファイルを選択し、その次に、発信者の電子メールアドレスに連動された選好フォルダセット１３０４から、または最近アクセスされたフォルダセット１３０６から移動先フォルダを選択するか、汎用ファイルシステムブラウザイコン１３０８を使用して関係ないフォルダを選択する。これらのフォルダのうちの１つ以上を選択するとき、ユーザーは選択された添付ファイルまたは添付ファイルグループを選択されたフォルダ（複数）にコピーするための命令ボタン１３１０を適用する。図示された例示において、ユーザーは、（１）“ＢＵＤＧＥＴ．ＸＬＳ”という名前の添付ファイルを選択し、（２）選好発信者フォルダ“Ｃ：＼ＭｙＤｏｃｓ＼ｘｙｚ−ｃｏｒｐ”のうちの１つを選択し、（３）命令ボタンを選択して、指定されたフォルダにファイルを保存する。
【００９３】
図１４は、受信者電子メールアドレスに連動されたフォルダセットを有する受信者に対して作成中の電子メールにファイルを選択することにおいて、発信者を案内するための本発明の一実施形態で活用されるプロセスのステップを示す。再び、ユーザーは、電子メール１４０１の作成に関連した作成フォルダセット１４００を以前にあらかじめ定義した。ユーザーが作成中の電子メールにファイルを添付することを希望するとき、作成フォルダ１４０２のうちの１つを選択し、選択されたフォルダ１４０４をブラウジングすることによってファイルを誘導することができる。ブラウザウィンドウから選択されたファイルは、命令ボタン１４０６によって作成中の電子メールに添付され、その後に、これらは作成中の電子メールに対する添付ファイルのリスト１４０８上に表れる。代替的に、ユーザーは、最近アクセスされたフォルダをブラウジング１４１０するか、関係ないフォルダをブラウジング１４１２することによって、添付されるファイルを選択することができる。図示された例示において、ユーザーは、（１）受信者と以前に連動された選好アップロードフォルダ“Ｃ：＼ＭｙＤｏｃｓ＼ｘｙｚ−ｃｏｒｐ”を選択し、（２）命令アイコンを押して、該フォルダをブラウジングして添付するファイルを選択し、（３）ファイルを選択し、コピーボタンを押してファイルを添付ファイルとしてアップロードし、（４）作成中の電子メールに所望のファイルが添付されたという確認を受信する。
【００９４】
前述した詳細な説明ではいくつかの態様が提示されたが、膨大な数の変形が存在し、これらの態様は、単なる例示的であるだけであり、本発明のカテゴリ、適用可能性または構成を決して限定しようとする意図ではないということを理解すべきである。むしろ、前述した詳細な説明は、当業者に本発明の好ましい態様を具現するための便利なガイドを提供し、本発明の実施形態の機能及び配列において、様々な変更が添付された特許請求の範囲の思想及びカテゴリから逸脱することなく行われることができる。前述した説明は、本発明の特定の実施形態を例示するためのものであるが、本発明の実施に対する限定を意味するものではない。以下の特許請求の範囲は、そのすべての等価物を含めて本発明のカテゴリを定義するものと意図される。
【図１】
2018533150.tif 000016
【図２】
2018533150.tif 000017
【図３】
2018533150.tif 000018
【図４】
2018533150.tif 000019
【図５】
2018533150.tif 000020
【図６】
2018533150.tif 000021
【図７】
2018533150.tif 000022
【図８】
2018533150.tif 000023
【図９】
2018533150.tif 000024
【図１０】
2018533150.tif 000025
【図１１】
2018533150.tif 000026
【図１２】
2018533150.tif 000027
【図１３】
2018533150.tif 000028
【図１４】
2018533150.tif 000029
【国際調査報告】
2018533150.tif 000030
2018533150.tif 000031
2018533150.tif 000032